(57)【要約】【課題】  肘掛けを備えた長いすであっても、当該肘掛を容易に取外すことができてこの長いすをいわば簡易ベッドとして利用可能にする肘掛装置を提供すること。【解決手段】  長いすの背もたれ５と座面１に支持させて設けた肘掛部材７を、座面１の裏から当該座面１を貫通するボルト杆13をその雄ネジ部13aにおいて前記肘掛部材７を設けたナット部材12に螺子込むことにより、当該肘掛部材７を前記背もたれ５と座面１の構成部材に緊締固着する一方、前記ボルト杆13を緩めてナット部材12から外すことにより肘掛部材７を長いすから取外すようにしたこと。【選択図】図１
2009247731.tif 000002
【特許請求の範囲】
【請求項１】
長いすの背もたれと座面に支持させて設けた肘掛部材を、座面の裏から当該座面を貫通するボルト杆をその雄ネジ部において当該肘掛部材に設けたナット部材に螺子込むことにより、当該肘掛部材を前記背もたれと座面の構成部材に緊締固着する一方、前記ボルト杆を緩めてナット部材から外すことにより肘掛部材を長いすから取外すようにしたことを特徴とする長いすの肘掛装置。
【請求項２】
肘掛部材を取外した座面と背もたれの跡に、肘掛部材が当接していた部分を覆うカバー部材を当てがい前記取外し跡をカバーするようにした請求項１の長いすの肘掛装置。
【請求項３】
肘掛部材の背もたれへの支持は、肘掛部材の背面に設けた側面視略７字状乃至略逆Ｊ字状をなす係止部材を、背もたれ部材に設けた支持棒に係止させるようにした請求項１又は２の長いすの肘掛装置。
【請求項４】
カバー部材も、上記肘掛部材と同じ取付構造で座面と背もたれに支持させて取付けた請求項２又は３の長いすの肘掛装置。
【請求項５】
木，プラスチック，金属などによる硬質剛性材による座面と背もたれの基材を、当該座面と背もたれ面の基材に配置された発泡プラスチックなどのクッション材と一緒に布地やプラスチック製シート地などによる被覆材で覆った構成を備えた請求項１〜４のいずれかの長いすの肘掛装置。
【発明の詳細な説明】
【技術分野】
【０００１】
本発明は病院やホテルなどの待合室やロビーなどに設置されるベンチタイプの長いすにおける着脱自在式の肘掛装置に関する。
【背景技術】
【０００２】
不特定多数の人が出入りする病院やホテル、或は、催事会場などの待合室や待合コーナーなどに配置されるベンチタイプの長いすにおいて、座面スペースの有効利用や着席者に寛ぎを与えるなどの目的で、１人用に設定した座面の境界に肘掛けを設けたものがある。
【０００３】
通常、上記のような肘掛けは、固定的に設けられたものが大半であるが、例えば、病院の待合室に設置される肘掛け付き長いすでは、肘掛けの取外しができるものが要請されている。
【０００４】
すなわち、例えば大規模災害発生などに伴い大量の負傷者が病院に搬入されるような事態が生じると、大規模な病院であっても手当てすべき負傷者を取敢えずは安静に横臥させておくベッドや場所が不足することが考えられるからである。
【０００５】
そのような場合、待合室に配置されているベンチタイプの長いすも、取敢えずの簡易ベッドやその代替品として利用することが考えられるが、肘掛け付きの長いすは、当該肘掛けが人の横臥を邪魔するための、取敢えずの簡易ベッドとして利用できない憾がある。
【０００６】
しかし乍ら、肘掛を備えた長いすであっても、その肘掛けが容易に取外し可能であれば、一朝有事に際して当該長いすを簡易ベッドに展開することができることとなり、上述のような緊急事態に対してきわめて有用であると考えられる。
【０００７】
従来、肘掛けを取外し可能にした椅子やソファーが特許文献１，２などにおいて提案されているが、これらはもともと肘掛けがソファー本体に固着されていない構成であったり、肘掛けの取外しは可能ではあるが、取外し作業が容易，手軽には行えないという問題を抱えている。その理由は、肘掛けを外して長いすをいわば簡易ベッドとして利用することを目的とした着装のものではないからである。
【特許文献１】実公昭４８−２１４４６号公報
【特許文献２】実開平０６−７７５９９号公報
【発明の開示】
【発明が解決しようとする課題】
【０００８】
そこで本発明では、肘掛けを備えた長いすであっても、当該肘掛を容易に取外すことができてこの長いすをいわば簡易ベッドとして利用可能にする肘掛装置を提供することを課題とする。
【課題を解決するための手段】
【０００９】
上記課題を解決することを目的としてなされた本発明肘掛装置の構成は、長いすの背もたれと座面に支持させて設けた肘掛部材を、座面の裏から当該座面を貫通するボルト杆をその雄ネジ部において前記肘掛部材を設けたナット部材に螺子込むことにより、当該肘掛部材を前記背もたれと座面の構成部材に緊締固着する一方、前記ボルト杆を緩めてナット部材から外すことにより肘掛部材を長いすから取外すようにしたことを特徴とするものである。
【００１０】
本発明では、肘掛部材を取外した座面と背もたれの跡に、肘掛部材が当接していた部分を覆うカバー部材を当てがい前記取外し跡をカバーすると、当初より肘掛けが設けられていない長いすに見えるので、見映えも良好である。
【００１１】
肘掛部材の背もたれへの支持は、肘掛部材の背面に設けた側面視略７字状乃至ほぼ逆Ｊ字状をなす係止部材を、背もたれ部材に設けた横向きの支持棒に係止させるようにするとよい。上記カバー部材も、この肘掛部材と同じ取付構造にすることにより、カバー部材の取付け，取外しを肘掛けと同様に容易かつ迅速に行うことができる。
【００１２】
本発明が好適に適用できる長いすの一例としては、木，プラスチック，金属などによる硬質剛性材による座面と背もたれの基材を、当該座面と背もたれ面の基材に配置された発泡プラスチックなどのクッション材と一緒に布地やプラスチック製シート地などによる被覆材乃至張りぐるみ材で覆った構成のものである。肘掛部材やカバー部材も、長いす本体と同様に基材と張ぐるみ材により構成したものであるが、他の構成の肘掛部材やカバー部材であってもよい。
【発明の効果】
【００１３】
本発明では、長いすの背もたれと座面に支持させて設けた肘掛部材を、座面の裏から当該座面を貫通するボルト杆をその雄ネジ部において前記肘掛部材を設けたナット部材に螺子込むことにより、当該肘掛部材を前記背もたれと座面の構成部材に緊締固着する一方、前記ボルト杆を緩めてナット部材から外すことにより肘掛部材を長いすから取外すようにして長いす用の肘掛装置を形成したから、長いすに強固に固着されている肘掛部材であってもそれを容易かつ迅速に取外すことができ、従って、当該長いすを、迅速かつ容易に応急用の簡易ベッドに転用することができるので至って便利である。
【００１４】
また、肘掛部材を取外した座面と背もたれの跡に、肘掛部材が当接していた部分を覆うカバー部材を当てがい、肘掛部材の取付構造と同じ構造で取付けて前記取外し跡をカバーするようにしたので、肘掛部材を取外した後に肘掛けがなくても見映えの良好なフラット状座面を有する長いすとして使用することができる。
【発明を実施するための最良の形態】
【００１５】
次に、本発明肘掛装置の実施の形態例について、図に拠りつつ説明する。添付した図において、図１は本発明肘掛装置の一例の構造を説明するための側断面図、図２は図１の肘掛装置の平面図、図３は図１の肘掛装置の左側面図、図４は座面基材と背もたれ基材の結合構造の一例を示す側面図、図５は肘掛部材と座面側ブロック，背もたれ側ブロックの関係を例示した分解斜視図、図６は肘掛部材を取外した跡に装着したカバー部材の取付構造を例示した側断面図である。
【００１６】
図１〜図６において、１は長いすの座面Ｓにおける平板状の座面基材、２，３は前記基材１の下面に、座面Ｓの長さ方向（図３の左右方向）に平行に配設した角パイプ製のいすフレームで、図示しない脚の取付部材としても機能する。４は座面基材１の後端下面に取付けたサブフレームである。
【００１７】
５は、前記フレーム２，３が支持した座面基材１とサブフレーム４に、例えば帯鋼板を略く字状に曲げて形成した連結部材６を介して取付けた背もたれ基材で、前記座面基材１と背もたれ基材５は、それぞれの上面と前面側に、発泡プラスチックなどによるクッション材Q1，Q2を配置して座面Ｓと背もたれ面Ｂが形成される。ここで、前記両基材１，５を連結する部材６は、図４に例示するように、ビス1a，5aと各ビス1a，5aを螺合する爪ナット1b，5bにより、両基材１，５に結合されている。また、各クッション材Q1，Q2は、図示しないが、張りぐるみ材（又は被覆材）にくまれて座面Ｓと背もたれ面Ｂに形成されている。
【００１８】
本発明長いすにおいては、上記の２つの基材１と５に、ここでは側断面が大略口字状をなす肘掛部材７を取付けて支持するための構成が付加されているので、この点について以下に説明する。
【００１９】
まず、座面基材１には、当該基材１を上下から挟む態様で、２つの座面側ブロック81と82が設けられている。一方、背もたれ基材５の前面には背もたれ側ブロック９が設けられている。これらのブロック81，82と同９は、図示しないが、適用する長いすが３人掛けであると、座面Ｓ（背もたれ面Ｂ）の長さを３等分する２箇所の位置に設けられる。従って、４人掛けでは３箇所、５人掛けでは４箇所といった要領で配設される。
【００２０】
なお、図１に示した肘掛部材７の下面と後面とは、前記ブロック82の上面とブロック９の前面に密着させる必要があるので、両ブロック82と９の面がフラットであれば、肘掛部材７の下面と後面もフラットであり、両ブロック82と９の面が波形面であれば肘掛部材７の下面と後面もその波形面に合致する波形面に形成されている。
【００２１】
前記ブロック81，82と同９は、肘掛部材７を強固に保持するため、次の構成を備えている。
まず、座面側ブロック81と82には、座面基材５の座面側からボルト穴10が肘掛部材７の下位部材7aに対し貫設されている一方で、このボルト穴10の同軸上に位置して下位部材7aにも前記ボルト穴10に連通したボルト穴11が形成され、かつ、この穴11の上端に爪ナット12が埋設されている。
また、座面ブロック82の後半側には、当該ブロック82の長さ方向に溝82aが形成されている。この溝82aは、後に説明する肘掛部材７における下位部材7aの下面の後半部に設けた翼状のホゾ71aを嵌合するための構成である。
13は前記ボルト穴10と11に挿入されてネジ部13aが前記ナット12に螺合されるボルト杆で、操作ノブ13bを備えている。
【００２２】
一方、背もたれ側ブロック９の前面側には、凹部（穴）14が形成され、この凹部（穴）14の内部の上部側には水平な支持軸15が架設されている。前記支持軸15に対応した肘掛部材７における後方部材7bの背面には、当該軸15に上方から係止される側断面が大略７字状乃至倒Ｊ字状をなす係止部材16が固定して設けられている。なお、7cは肘掛部材７の上位部材、7dは同じく前方部材である。
【００２３】
上記構成により、肘掛部材７の長いすへの取付けは、まず後方部材7bに設けた係止部材16を背もたれ側ブロック９の凹部13に設けた支持軸15に引掛け、この状態で、下位部材7aの下面のホゾ71aを座面側ブロック82の溝82aに嵌入しつつ当該ブロック82の上面に当接させる。
【００２４】
この当接でボルト穴10と11とが貫通した状態になるので、ブロック81の下面側からボルト穴10にボルト杆13を挿入し、挿入先端側の雄ネジ部3aを爪ナット12に螺合して緊締すると、肘掛部材７は、その下位部材7aの下面と後方部材7bの背面が、それぞれ前記ブロック82の上面とブロック９の後面に密着圧接されると共に、下位部材7aのホゾ71aが前記ブロック82の溝82aに嵌合された状態で強固に長いすに取付けられることとなる。
【００２５】
図１に示した肘掛部材７は、４つの構成部材7a〜7dによって大略口字状をなすように形成されているが、本発明に適用できる肘掛部材７の形態は、座面側ブロック82の上面と背もたれ側ブロック９の前面に密着して圧接される部位を備えていれば、その側面形態は、上記実施例の略口字状以外に、口状のような中間部の空隙が塞がれた面状部材や側面略コ字状をなす部材などであったもよい。また、上記の各部材による肘掛部材７は、その外面を皮革や布，シート地などの張りぐるみ材（又は外皮材）により被覆したものであってもよい。
【００２６】
上記に述べたような構成により長いすに装着された肘掛部材７は、そのボルト杆13をノブ13ｂを操作して緩めボルト穴10から外せば、係止部材16を持上げて支持軸15から離脱させるだけで長いすから容易に取外すことができる。
肘掛部材７が取外された長いすは、人が横臥する障害となっていた肘掛けが無くなり、座面Ｓの全長が大略フラットになるので、緊急時などにおける簡易ベッドとして用いることが可能となる。
【００２７】
肘掛部材７が長いすから取外されると、当該部材７の下位部材7aと後方部材7bは、座面Ｓと背もたれＢのクッション材Q1，Q2の中に隠れていたので、それらの部材7a，7bの取外した跡が座面Ｓや背もたれ面Ｂに溝状を呈して残る。つまり外部から当該溝状が見えて見映えが良好でなくなる。
【００２８】
そこで本発明では、肘掛部材７を取外した跡に顕われる溝状部に、アタッチメントのようなカバー部材20を取付けて前記肘掛部材７の跡を、いわば繕うようにしたので、以下この点について図６を参照して説明する。なお、図６において、図１〜図５と同一部材，同一部位には同一符号を用いている。
【００２９】
図６に例示したカバー部材20は、肘掛部材７における下位部材7aおよび後方部材7bと同じ構成を備えた横向き部材20aと起立部材20bにより大略Ｌ状に形成されている。従って、横向き部材20aの下面後半部にはホゾ71aと同じホゾ20cを有し、肘掛部材７におけるボルト穴11に対応するボルト穴21、爪ナット12に対応する爪ナット22、ボルト杆13と共用されるボルト杆23、係止部材16に対応する係止部材24を備えている。なお、25は起立部材20bの背面上部に設けた柔軟な舌片状の掴み片である。
【００３０】
上記カバー部材20の長いすへの取付け態様は、肘掛部材７の取付態様と同じである。その理由は、横向部材20aと起立部材20bに付与された構成（ホゾ20c、ボルト穴21、爪ナット22、係止部材24）が、肘掛部材７の下位部材7aと後方部材7bに付与された構成と同じだからである。なお、引手状の掴み片25は、カバー部材20を取外す際、ボルト23を緩めて外し、この片25を引張ることによりこのカバー部材20を装着位置から取外すためのものである。
【００３１】
上記のようにカバー部材20が肘掛部材７を取外した後の肘掛け取付跡に装着されることにより、前記の長いすは肘掛けのないフラットタイプの座面を持つ長いすとしても、或は、緊急時などの簡易ベッド乃至はその代替品としても利用可能であるから、実用上至って便利である。
【産業上の利用可能性】
【００３２】
本発明は以上の通りであって、長いすの背もたれと座面に支持させて設けた肘掛部材を、座面の裏から当該座面を貫通するボルト杆をその雄ネジ部において前記肘掛部材を設けたナット部材に螺子込むことにより、当該肘掛部材を前記背もたれと座面の構成部材に緊締固着する一方、前記ボルト杆を緩めてナット部材から外すことにより肘掛部材を長いすから取外すようにし、肘掛部材を取外した座面と背もたれの跡に、肘掛部材が当接していた部分を覆うカバー部材を当てがい前記取外し跡をカバーするようにしたので、肘掛付きの長いすを、肘掛けなしの長いすに容易かつ迅速に変更することができ、これにより病院の待合室などで急にベッドが必要になった場合などに迅速に対応することができて便利である。
【００３３】
また、肘掛けを外した跡にはカバー部材を肘掛けと同じ取付構造で取付けるようにしたので、単に肘掛が外せるだけでなく、取外した跡を見映え良好な形態にすることができるので、この点でもきわめて優れている。
【００３４】
特に本発明では、肘掛部材とカバー部材とを座面裏に配置した共通のボルト杆により選択的に取付け、取外しできるようにしたので、その構造が簡潔かつ合理的であるばかりか、ボルト杆が人目に付きにくい座面の裏に配置されていることにより悪戯などによって不必要な操作がされ難いという利点がある。
【図面の簡単な説明】
【００３５】
【図１】本発明肘掛装置の一例の構造を説明するための側断面図。
【図２】図１の肘掛装置の平面図。
【図３】図１の肘掛装置の左側面図。
【図４】座面基材と背もたれ基材の結合構造の一例を示す側面図。
【図５】肘掛部材と座面側ブロック，背もたれ側ブロックの関係を例示した分解斜視図。
【図６】肘掛部材を取外した跡に装着したカバー部材の取付構造を例示した側断面図。
【符号の説明】
【００３６】
１        座面基材
２，３    いすフレーム
４        サブフレーム
５        背もたれ基材
６        結合部材
７        肘掛部材
81，82    座面側ブロック
９        背もたれ側ブロック
10，11    ボルト穴
12        爪ナット
13        ボルト杆
14        凹部
15        支持棒
16        係止部材
【図１】
2009247731.tif 000003
【図２】
2009247731.tif 000004
【図３】
2009247731.tif 000005
【図４】
2009247731.tif 000006
【図５】
2009247731.tif 000007
【図６】
2009247731.tif 000008